(57)【要約】  液体ディスペンサ用のバルブガスケットと計量バルブである。  液体ディスペンサの計量バルブ用のバルブガスケットは、自己潤滑性を有するエラストマー材料で作られている。【選択図】図１
2022500326.tif 000002
【特許請求の範囲】
【請求項１】
液体ディスペンサの計量バルブ用のバルブガスケットであって、
前記ガスケットは、自己潤滑性を有するエラストマー材料からなり、
前記エラストマー材料は、シリコン油のような潤滑剤を含み、
前記潤滑剤は、前記ガスケットのエラストマー材料に添加されるマイクロカプセル及び／又はマイクロスフェアの形態でカプセル化される
ことを特徴とするバルブガスケット。
【請求項２】
前記エラストマー材料は、ＥＰＤＭを含む
ことを特徴とする請求項１に記載のバルブガスケット。
【請求項３】
前記潤滑剤がシリコン油を含む
ことを特徴とする先行する請求項のいずれかに記載のバルブガスケット。
【請求項４】
前記ガスケットの製造中に、シリコン油を含むマイクロカプセル及び／又はマイクロスフェアが、前記エラストマー材料に添加される
ことを特徴とする先行する請求項のいずれかに記載のバルブガスケット。
【請求項５】
前記エラストマー材料に導入される前記マイクロカプセル及び／又はマイクロスフェアの量が、前記エラストマー材料の５重量％未満、好ましくは、約３重量％未満である
ことを特徴とする請求項４に記載のバルブガスケット。
【請求項６】
液体ディスペンサの計量バルブであって、
前記計量バルブは、計量チャンバ（２０）を定めるバルブ本体（１０）を備え、
前記計量チャンバ（２０）の中で、バルブ部材（３０）が休止位置と作動位置との間を摺動し、
前記計量バルブは、ネックガスケット（６）及び少なくとも１つの内部ガスケット（２１、２２）を含み、
前記バルブ部材（３０）は、少なくとも前記内部ガスケット（２１、２２）に対して摺動し、
前記計量バルブは、先行する請求項の少なくとも一つに記載のガスケットを含む
ことを特徴とする計量バルブ。
【請求項７】
少なくとも１つの前記内部ガスケット（２１、２２）は、請求項１〜６のいずれか１項に記載に従って製造される
ことを特徴とする請求項６に記載の計量バルブ。
【請求項８】
液体ディスペンサであって、
供給される液体を収容するリザーバ（１）を備え、
前記液体ディスペンサは、請求項６又は請求項７に記載の計量バルブを含む
ことを特徴とする液体ディスペンサ。
【請求項９】
高圧ガスとしてＨＦＡガスを収容する
ことを特徴とする請求項８に記載の液体ディスペンサ。
【発明の詳細な説明】
【技術分野】
【０００１】
本発明は、バルブガスケット、計量バルブ及び液体ディスペンサに関する。このようなバルブの好ましい応用分野は、薬品の分野であるが、このタイプのバルブは、他の分野、例えば、化粧品又は香水の分野でも使用され得る。
【背景技術】
【０００２】
従来技術の計量バルブは、計量室を定めるバルブ本体を備え、その計量室の中で、休止位置と作動位置との間で摺動するように、バルブ部材が設けられている。バルブ本体及びバルブ部材は、通常、例えば、ポリアセタール（ポリオキシメチレン（ＰＯＭ）としても知られる）、又は、ポリブチレンテレフタレート（ＰＢＴ）のような、ポリマー型のプラスチック材料を成形することによって製造される。ガスケット、特にネックガスケットとして知られる外部ガスケット及びバルブ部材ガスケットとして及びチャンバガスケットとして知られる２つの内部ガスケットは、一般に計量バルブ内に設けられる。ガスケットは、一般に、例えば、ニトリルゴム、エチレンプロピレンジエンモノマー（ＥＰＤＭ）、又はシクロオレフィン共重合体エラストマー（ＣＯＣエラストマー）のような、エラストマー材料で作られる。
【０００３】
このようなガスケットの使用は、いくつかの問題を引き起こす。従って、保管中の癒着を避けるために、それらの製造段階において、エラストマー片（ストリップ）にタルク（滑石）を付着させる必要がある。また、バルブを組み立てるためには、ガスケットのシールにシリコンを使用する必要がある。さらに、使用時に、バルブ部材と内部ガスケットとの間で発生する摩擦は、「sticking（詰まり)」として知られる現象、即ち、バルブのjamming（詰まり）につながる可能性がある。これらの問題を克服し又は歯止めをかけることを試みるために、一般に、シリコン、エルカミド又はオレアミドをベースとする滑り剤としても知られる、潤滑剤が添加されたエラストマー材料を使用することが提案されている。そのような添加物は、材料の表面に移動し、それによって、その摩擦係数及びその結果としての摩擦挙動を低減する。しかし、このような潤滑剤の制御は、必ずしも容易ではない。エラストマーマトリックス中の潤滑剤が役割を果たす前に、材料が製造されている間に、添加剤が劣化することがある。また、エラストマーマトリックス中に存在する他の成分との相互作用も起こり得る。これは、特に、無機充填剤が存在する場合に発生し、これが潤滑剤を吸収し、それによって、潤滑剤が材料の表面に移動するのを妨げる可能性がある。
【０００４】
特許文献１及び特許文献２には、従来技術の装置が記載されている。
【先行技術文献】
【特許文献】
【０００５】
【特許文献１】国際公開ＷＯ００／５６６３２号
【特許文献２】米国特許第６８４３３９２号明細書
【発明の概要】
【０００６】
本発明の目的は、上記問題点を克服することである。
【０００７】
このように、本発明の目的は、摩擦特性を改善したバルブガスケットを提供することである。
【０００８】
本発明の別の目的は、製造及び組み立てが簡単で安価なバルブガスケット、計量バルブ及び液体ディスペンサ装置を提供することである。
【０００９】
したがって、本発明は、液体ディスペンサの計量バルブ用のバルブガスケットを提供し、前記ガスケットは、自己潤滑性であるエラストマー材料からなり、前記エラストマー材料は、シリコン油のような潤滑剤を含み、前記潤滑剤は、ガスケットのエラストマー材料に添加されるマイクロカプセル及び／又はマイクロスフェアの形態で封入される。
【００１０】
好ましくは、エラストマー材料は、ＥＰＤＭを含む。
【００１１】
好ましくは、潤滑剤はシリコン油を含む。
【００１２】
好ましくは、シリコン油を含むマイクロカプセル及び／又はマイクロスフェアが、ガスケットの製造中にエラストマー材料に添加される。
【００１３】
好ましくは、エラストマー材料に導入される前記マイクロカプセル及び／又はマイクロスフェアの量は、エラストマー材料の５重量％未満、有利には約３重量％未満である。
【００１４】
また、本発明は、液体ディスペンサの計量バルブを提供し、この計量バルブは、バルブ部材が休止位置と作動位置との間を摺動する計量チャンバを定めるバルブ本体を備え、前記計量バルブは、ネックガスケット及び少なくとも１つの内部ガスケットを含み、前記バルブ部材は、前記少なくとも内部ガスケットに対して摺動し、前記計量バルブは、上述した少なくとも１つのガスケットを含む。
【００１５】
好ましくは、前記少なくとも１つの内部ガスケットは、上述のように作製される。
【００１６】
また、本発明は、供給される液体を含むリザーバを備える液体ディスペンサを提供し、該液体ディスペンサは、上述のような計量バルブを含む。
【００１７】
好ましくは、ディスペンサは、高圧ガスとしてハイドロフルオロアルカン（ＨＦＡ）ガスを含む。
【００１８】
これら及び他の特性及び利点は、非限定的な例として、また、添付図面を参照して、以下の詳細な説明から、より明確となる。
【図面の簡単な説明】
【００１９】
【図１】好ましい実施の形態における計量バルブの断面図である。
【図２】シリコンを含まないＥＰＤＭガスケット、シリコンを含むＥＰＤＭガスケット、マイクロカプセルを含む本発明のＥＰＤＭガスケット及びマイクロスフェアを含む本発明のＥＰＤＭガスケットについて、ＥＰＤＭガスケットの１００％変形におけるモジュラスを比較する棒グラフである。
【図３】シリコンを含まないＥＰＤＭガスケット、シリコンを含むＥＰＤＭガスケット、マイクロカプセルを含む本発明のＥＰＤＭガスケット及びマイクロスフェアを含む本発明のＥＰＤＭガスケットのショアＡスケールでの硬度を比較する棒グラフである。
【図４】シリコンを含まないＥＰＤＭガスケット、シリコンを含むＥＰＤＭガスケット、マイクロカプセルを含む本発明のＥＰＤＭガスケット及びマイクロスフェアを含む本発明のＥＰＤＭガスケットについて、ＥＰＤＭガスケットのＰＯＭ及びＰＢＴに対する摩擦係数を比較する棒グラフである。
【発明を実施するための形態】
【００２０】
以下の記載において、用語「上部」、「下部」、「上端部」及び「底部」は、図１に示される直立した位置に対して、相対的であり、用語「ラジアル」は、図１に示すバルブの長手方向軸に対して、相対的である。
【００２１】
図１に示す計量バルブは、貯留タイプである。しかし、これは、単なる例であり、本発明は、任意のタイプの計量バルブに適用されることを理解すべきである。より一般的には、本発明は、液体を供給するために、高圧ガスを使用しないポンプ用のガスケットにも適用することができる。
【００２２】
図１のバルブは、長手方向軸に沿って延在するバルブ本体１０を含む。バルブ本体１０の内部では、静止位置、すなわち、図１に示す位置と、バルブ部材３０がバルブ本体１０内に押し込まれたディスペンス位置との間を、バルブ部材３０が摺動する。
【００２３】
バルブは、好ましくは、圧接可能、ネジ締め可能又はスナップ締め可能なカプセルであってもよい留め具５によって、リザーバ１上に組み立てるためのものであり、好ましくは、ネックガスケット６が、留め具とリザーバとの間に介在する。リング４は、特に、デバイスが逆さまの位置でデッドボリュームを減少させるように、また、液体とネックガスケットとの間の接触を制限するように、オプションとして、バルブ本体の周囲に取り付けることができる。リングは、任意の形状であってよく、図１の例には、限定されない。
【００２４】
バルブ部材３０は、バルブ本体１０内に配置され、第一に、バルブ本体１０と、第二に、バルブ部材３０と、好ましくは、バルブ部材３０の半径方向カラー３２０と協働するバネ８によって、その静止位置に向かって付勢される。計量室２０は、バルブ本体１０の内側に定められ、バルブ部材３０は、バルブが作動したとき、その内容物が供給されることが可能となるように、計量室の内側を摺動する。
【００２５】
従来の方法では、計量室は、好ましくは、２つの環状ガスケット、すなわちバルブ部材ガスケット２１とチャンバガスケット２２との間に定められる。
【００２６】
図１は、直立した貯留位置、すなわち、計量室２０がリザーバ１の上方に配置される位置にあるバルブを示す。
【００２７】
バルブ部材３０は、バルブ部材３０がその供給位置にあるときに、計量室２０内に入り込む入口穴３０２に接続される出口穴３０１を含む。バルブ部材３０は、上部３１（バルブ部材頂部としても知られる）と下部３２（バルブ部材底部としても知られる）の２つの部分から構成される。本実施の形態では、下部３２は、上部３１の内側に組み付けられている。バルブ部材３０がバネ８の影響を受けて静止位置に戻るときに、バルブの各作動の後に、計量室２０を充填するように、計量室２０がリザーバ１に接続することを可能にする内部チャネル３３がバルブ部材３０内に設けられている。バルブがリザーバの下方に配置された状態で、デバイスがまだ逆さまの作動位置にあるときに、充填が行われる。
【００２８】
典型的には、計量バルブは、周知の高圧ガス、特に、ＨＦＡタイプのガスを含む。
【００２９】
本発明では、バルブの少なくとも１つのガスケット、特に、少なくとも１つの内部ガスケット２１、２２は、自己潤滑性を有するエラストマー材料で作られ、シリコン油のような潤滑剤が、ガスケットのエラストマー材料に添加されるマイクロカプセル及び／又はマイクロスフェアの形態で封入されている。このようなマイクロカプセル化は、製造プロセスの明確に規定された工程において及び／又は製品の使用中に、潤滑作用を制御及び／又はトリガーすることを可能にする。
【００３０】
マイクロカプセル化は、外部環境を保護するため又は選択された環境へのそれらの放出を制御するために、ポリマー膜内に閉じ込められた液体又は固体を保持することを可能にする。使用する調製技術及び最終的なニーズに応じて、次の２種類の製品を入手することが可能である。
【００３１】
・マイクロカプセル。これは、液体活性物質（多かれ少なかれ粘性を有する）を閉じ込め、保持する貯蔵庫に似ているかもしれない。
【００３２】
・マイクロスフェア。これは、活性物質（スポンジのようである）が充填された小さいポーチに似た高分子マトリックスである。
【００３３】
有効成分は、いくつかの方法で放出されてもよい。マイクロカプセルの放出は、熱や圧力などのストレスの影響を受けて、急激に起こる場合がある。マイクロスフェアは、カプセル化された物質を徐々に放出することを可能にする。オプションとして、マイクロカプセル及びマイクロスフェアを同時に加えることにより、両方の効果を組み合わせる形態で実施することができる。
【００３４】
マイクロカプセル及び／又はマイクロスフェアのサイズは、５マイクロメートル（μｍ）から１００μｍの範囲で変化してもよい。
【００３５】
以下に説明する例では、シリコン油のマイクロカプセル又はマイクロスフェアを、バルブガスケットを形成するＥＰＤＭ材料に、３重量％の含有量で添加した。添加は、通常、ＥＰＤＭ材料に添加される他の成分（無機充填剤、酸化防止剤、加硫剤等）と同様の方法で行った。
【００３６】
好ましくは、５重量％未満の量により実施してもよい。
【００３７】
得られた材料の特性を、次の２つの実験対照と比較した。
【００３８】
・標準ＥＰＤＭ
・標準ＥＰＤＭ  ＋  ３％の添加シリコンオイル
図２に、１００％変形時のモジュラス、図３に、ショアＡスケールの硬度を示す。
【００３９】
この例のＥＰＤＭのように、マイクロカプセル及びマイクロスフェアを添加しても、エラストマーの機械的特性にマイナスの影響を及ぼさないことが観察される。
【００４０】
図４に、第一にＰＯＭに対する場合、及び、第二にＰＢＴに対する場合につき、同じ材料の摩擦係数を示す。
【００４１】
この試験は、摩擦係数を決定するために、プラスチック材料（ＰＯＭ及びＰＢＴ）に対してＥＰＤＭを摩擦することで、構成されている。
【００４２】
摩擦係数とは、加えられた力（垂直抗力：normal force）に対する牽引力（装置を動かすことを可能にする応答力）の比である。
【００４３】
摩擦係数には、動摩擦係数と静止摩擦係数の２種類がある。
【００４４】
・静止摩擦係数は、試験開始時に測定された係数である。これは、基材上でサンプルを移動させ、移動を開始させるために必要な力である。「粘着係数」という用語も使用される。
【００４５】
・動的係数は、移動が一定の速度に維持されるために必要な係数である。
【００４６】
今回の比較のために、システムを安定させ、かつ、一定速度で、動摩擦係数の値を用いた。
【００４７】
単にシリコンを配合物中に添加するだけでは、摩擦に対する改良は生じなかった。これにより、このような環境下では、エラストマーマトリックスによりシリコンが吸収されるという仮説が確認された。
【００４８】
しかしながら、マイクロカプセル又はマイクロスフェアを含有する本発明の全ての構成において、摩擦係数の減少が観察された。
【００４９】
得られた結果は、マイクロカプセル又はマイクロスフェアを添加することにより、摩擦係数を著しく減少させることが可能になることを示している。
【００５０】
この比較試験は、ＥＰＤＭ製のガスケットで行ったが、バルブガスケットの製造に使用される他のエラストマー材料でも、同様の結果が得られるであろう。
【００５１】
潤滑剤を封入（カプセル化）することにより、材料を製造する過程で、吸収されたり劣化したりすることを回避するように、前記潤滑剤を閉じ込めることが可能となる。さらに、潤滑剤を封入することにより、摩擦又は圧力によって、機械的応力下で、マイクロカプセルが破壊される場合に、材料の表面で潤滑剤を利用可能にする。
【００５２】
このように、本発明は、バルブにおける摩擦の問題を減少させることを可能にし、したがって、詰まりのリスクを排除するか、又は、少なくとも詰まりに歯止めをかけることを可能にする。さらに、保管中の癒着を避けるために、エラストマー片にタルクを付着させることは、もはや必要ではなく、それによって、ガスケット、ひいてはバルブの製造コストを低減することが可能となる。また、ガスケットをシールするためのシリコンの使用を削減又は撤廃した結果、バルブの組立ても、簡素化される。
【００５３】
本発明は、好ましい実施の形態を参照して上述したが、添付の特許請求の範囲で定義されるように、本発明の範囲を超えることなく、当業者であれば当然のことながら、これに任意の修正を適用することができる。
【図１】
2022500326.tif 000003
【図２】
2022500326.tif 000004
【図３】
2022500326.tif 000005
【図４】
2022500326.tif 000006
【手続補正書】
【提出日】令和3年11月15日(2021.11.15)
【手続補正１】
【補正対象書類名】特許請求の範囲
【補正対象項目名】請求項６
【補正方法】変更
【補正の内容】
【請求項６】
液体ディスペンサの計量バルブであって、
前記計量バルブは、計量チャンバ（２０）を定めるバルブ本体（１０）を備え、
前記計量チャンバ（２０）の中で、バルブ部材（３０）が休止位置と作動位置との間を摺動し、
前記計量バルブは、ネックガスケット（６）及び少なくとも１つの内部ガスケット（２１、２２）を含み、
前記バルブ部材（３０）は、少なくとも一つの前記内部ガスケット（２１、２２）に対して摺動し、
前記計量バルブは、先行する請求項の少なくとも一つに記載のガスケットを含む
ことを特徴とする計量バルブ。
【手続補正２】
【補正対象書類名】明細書
【補正対象項目名】０００３
【補正方法】変更
【補正の内容】
【０００３】
このようなガスケットの使用は、いくつかの問題を引き起こす。従って、保管中の癒着を避けるために、それらの製造段階において、エラストマー片（ストリップ）にタルク（滑石）を付着させる必要がある。また、バルブを組み立てるためには、ガスケットをパッキングするためにシリコンを使用する必要がある。さらに、使用時に、バルブ部材と内部ガスケットとの間で発生する摩擦は、「sticking（詰まり)」として知られる現象、即ち、バルブのjamming（詰まり）につながる可能性がある。これらの問題を克服し又は歯止めをかけることを試みるために、一般に、シリコン、エルカミド又はオレアミドをベースとする滑り剤としても知られる、潤滑剤が添加されたエラストマー材料を使用することが提案されている。そのような添加物は、材料の表面に移動し、それによって、その摩擦係数及びその結果としての摩擦挙動を低減する。しかし、このような潤滑剤の制御は、必ずしも容易ではない。エラストマーマトリックス中の潤滑剤が役割を果たす前に、材料が製造されている間に、添加剤が劣化することがある。また、エラストマーマトリックス中に存在する他の成分との相互作用も起こり得る。これは、特に、無機充填剤が存在する場合に発生し、これが潤滑剤を吸収し、それによって、潤滑剤が材料の表面に移動するのを妨げる可能性がある。
【手続補正３】
【補正対象書類名】明細書
【補正対象項目名】００１４
【補正方法】変更
【補正の内容】
【００１４】
また、本発明は、液体ディスペンサの計量バルブを提供し、この計量バルブは、バルブ部材が休止位置と作動位置との間を摺動する計量チャンバを定めるバルブ本体を備え、前記計量バルブは、ネックガスケット及び少なくとも１つの内部ガスケットを含み、前記バルブ部材は、前記少なくとも１つの内部ガスケットに対して摺動し、前記計量バルブは、上述した少なくとも１つのガスケットを含む。
【手続補正４】
【補正対象書類名】明細書
【補正対象項目名】００５２
【補正方法】変更
【補正の内容】
【００５２】
このように、本発明は、バルブにおける摩擦の問題を減少させることを可能にし、したがって、詰まりのリスクを排除するか、又は、少なくとも詰まりに歯止めをかけることを可能にする。さらに、保管中の癒着を避けるために、エラストマー片にタルクを付着させることは、もはや必要ではなく、それによって、ガスケット、ひいてはバルブの製造コストを低減することが可能となる。また、ガスケットをパッキングするためのシリコンの使用を削減又は撤廃した結果、バルブの組立ても、簡素化される。
【国際調査報告】
2022500326.tif 000007
2022500326.tif 000008
2022500326.tif 000009
2022500326.tif 000010